(57)【要約】【課題】塵埃類等により管内を詰まらせることなく、シンプルな構造で雨水を整流し、集水器から竪樋への雨水の流下を円滑にする雨樋の排水構造を提供する。【解決手段】本発明は、軒樋と、該軒樋を流れる雨水を集水する集水器と、集水器の下部に設けられた継手３に接続され雨水を排水口へ流下させる竪樋とを備えた雨樋の排水構造であって、前記継手３は、雨水に回転力を付与する螺旋状の突条１０を備えていることを特徴とする。【選択図】図２
2013036235.tif 000002
【特許請求の範囲】
【請求項１】
軒樋と、該軒樋を流れる雨水を集水する集水器と、集水器の下部に設けられた継手に接続され雨水を排水口へ流下させる竪樋とを備えた雨樋の排水構造であって、
前記継手は、雨水に回転力を付与する螺旋状の突条を備えていることを特徴とする雨樋の排水構造。
【請求項２】
請求項１に記載の雨樋の排水構造において、
前記突条の突出高さ寸法は、前記集水器側から前記竪樋側に向かって漸次大とされていることを特徴とする雨樋の排水構造。
【請求項３】
請求項１又は２に記載の雨樋の排水構造において、
前記各突条は、前記継手の内部を軸線方向に視たとき該継手の周方向に互いに間隔を空けて複数設けられていることを特徴とする雨樋の排水構造。
【発明の詳細な説明】
【技術分野】
【０００１】
本発明は、雨樋内を流れる雨水を整流可能な雨樋の排水構造に関する。
【背景技術】
【０００２】
一般に、雨水を地面の排水溝に向けて排水処理する雨樋の排水構造において、屋根から軒樋に流下した雨水は、軒樋の端部に接続された集水器に集水され、集水器からその下方に接続された竪樋に流下するようになっている。通常、前記集水器は、竪樋との接続部に向かって縮径するように形成されているため、豪雨時には集水器内の雨水が竪樋への通常の流入量を超え、集水器から竪樋に向かって雨水を円滑に流下させ難い場合がある。そのため、従来より、集水器ないし軒樋と竪樋との継手に関して様々な開発がなされている（例えば、下記特許文献１）。
【０００３】
下記特許文献１に開示された雨樋の排水構造Ｘは、集水器１００の下端にドレンエルボ１０１を外嵌している。ドレンエルボ１０１は、鉛直方向に延びるとともに底部を閉塞した縦管１０１ａと、該縦管１０１ａの下部から斜め下方に延びるとともに該縦管１０１ａに連通した側管１０１ｂとにより構成されており、側管１０１ｂの下端に竪樋１０２の上端を接続させている。また、ドレンエルボ１０１の縦管１０１ａの底部には、該底部を塞ぐ蓋部材１０１ｃが被冠されており、該蓋部材１０１ｃの板面中心に鉛直方向に延びる整流棒体１０３が突設されている。
この構成の下に、雨樋の排水構造Ｘにおいては、豪雨時に集水器１００内に流れ込んだ雨水を整流棒体１０３を伝わせて縦管１０１ａ内下方に誘導し、集水器１０１内で雨水を滞留させないよう排水口１０４から排水させている。
【先行技術文献】
【特許文献】
【０００４】
【特許文献１】特開２００７−６３８３８号公報
【発明の概要】
【発明が解決しようとする課題】
【０００５】
しかし、上記従来の雨樋の排水構造Ｘでは、整流棒体１０３に塵埃類が絡んでこれを堆積させやすく、ドレンエルボ１０１を詰まらせやすいという問題があった。
また、ドレンエルボ１０１内部に整流棒体１０３を設ける必要があるとともに、整流棒体１０３の設置のために竪樋１０２をドレンエルボ１０１の縦管１０１ａから分岐させた側管１０１ｂに連結させる必要があり、構造が複雑となって雨樋の排水構造Ｘの製造コストが嵩むという問題があった。
また、集水器１００の排水口１０４からドレンエルボ１０１内に雨水を導きやすくなっているものの、ドレンエルボ１０１の側管１０１ｂから竪樋１０２へ雨水を円滑に導ける構成とはなっていないため、ドレンエルボ１０１と竪樋１０２との連結部において雨水が滞留してしまうという問題があった。
【０００６】
そこで、上記事情に鑑み、本発明は、塵埃類等により管内を詰まらせることなく、シンプルな構造で雨水を整流し、集水器から竪樋への雨水の流下を円滑にする雨樋の排水構造を提供する。
【課題を解決するための手段】
【０００７】
請求項１の発明は、軒樋と、該軒樋を流れる雨水を集水する集水器と、集水器の下部に設けられた継手に接続され雨水を排水口へ流下させる竪樋とを備えた雨樋の排水構造であって、前記継手は、雨水に回転力を付与する螺旋状の突条を備えていることを特徴とする。
本発明では、突条によって雨水に回転力を付与して雨水の流下を促進し得るため、豪雨時に集水器から竪樋への雨水の流下を円滑に行うことができる。
【０００８】
請求項２の発明は、請求項１に記載の雨樋の排水構造において、前記突条の突出高さ寸法は、前記集水器側から前記竪樋側に向かって漸次大とされていることを特徴とする。
本発明では、突条の突出高さ寸法が、集水器側から竪樋側に向かって漸次大きくなっているため、集水器から継手に雨水が流入する際に、突条が雨水の流入の妨げになり難く、下方に向かって徐々に回転力を加えていくことができる。
【０００９】
請求項３の発明は、請求項１又は２に記載の雨樋の排水構造において、前記各突条は、前記継手の内部を軸線方向に視たとき該継手の周方向に互いに間隔を空けて複数設けられていることを特徴とする。
本発明では、各突条が、前記継手の内部を軸線方向に視たとき該継手の周方向に互いに間隔を空けて複数に設けられているため、突条同士の間が流路となり、突条によって旋回し切れない雨水を流下させることができる。
【発明の効果】
【００１０】
本発明に係る雨樋の排水構造によれば、雨水に回転力を付与する螺旋状の突条を集水器の下部に設けられた継手に備えているため、塵埃類を引掛かけて継手の内壁面に堆積させることにより継手内部を汚損したり、塵埃類で詰まらせたりすることを防止することができるという効果を奏する。
【００１１】
また、継手の内壁面にのみ突条を設けるというシンプルな構成であり、該継手は簡便に成形することができるものであるため、雨樋の排水構造を低コストで製造することができ、また雨樋の排水構造を従来どおりの施工によって住宅等の建物に簡便に設置することができるという効果を奏する。
【００１２】
また、継手の突条によって豪雨時に継手内に流れ込む雨水に回転力を加え、旋回流となるよう整流することができるため、雨水を滞留させることなく継手からこれに接続された竪樋内に円滑かつ直接に流入及び流下させることができるという効果を奏する。
【図面の簡単な説明】
【００１３】
【図１】は、本発明の一実施形態として示した雨樋の排水構造の全体図である。
【図２】は、本発明の一実施形態として示した雨樋の排水構造の一部の縦断面図であって、該一部を内側方向から側面視した図である。
【図３】は、本発明の一実施形態として示した雨樋の排水構造を図１に示すＭ−Ｍ線で矢視した部分断面図である。
【図４】は、従来の雨樋の排水構造の使用状態を示す図である。
【発明を実施するための形態】
【００１４】
以下、図を参照して本発明の雨樋の排水構造の一実施形態について説明する。
図１に示すように、雨樋の排水構造Ａは、屋根の軒先から流れ落ちる雨水を受ける軒樋１と、軒樋１に取り付けられた集水器２と、集水器２の下部に設けられた継手３と、継手３に接続され、住宅などの外壁に沿って鉛直方向に配設された竪樋４と、地中に埋設された排水管（不図示）に取り付けられて竪樋４の下端側を上下方向に摺動可能に支持する排水管カバー５とを備えている。
【００１５】
軒樋１は、集水器２に向かって僅かに下る勾配をもって屋根の軒先に沿って配置され、その一端部１ａが集水器２の上部に配置されている。
集水器２は、軒樋継手部２ａと集水部２ｂと継手３とを備えており、軒樋継手部２ａにおいてその左右方向に延在している軒樋１，１の端部１ａ，１ａを接続し、端部１ａ，１ａに流れてきた雨水を集水部２ｂの内部Ｓに集水するようになっている。
集水部２ｂは下方に向かって縮径した漏斗状に形成されており、下方に継手３が一体的に形成され、集水部２ｂの内部Ｓと継手３の内部がそれぞれの軸線Ｌを共通にして一方向に連通している。
【００１６】
継手３は、筒状に形成されており、図２示すように、その内壁面３ａには、雨水に回転力を加えて旋回流とし、該雨水の流下を促進する螺旋状の突条１０が設けられている。
【００１７】
図３に示すように、突条１０は、詳細には、継手３の内壁面３ａ上の螺旋軌跡上に等間隔で環状配置され、集水器２を上方から視た際にこれら突条１０同士が周方向に互いに間隔を有しており、当該間隔が雨水を鉛直方向に流下させ得る流路Ｒ，Ｒ・・となっている。
これらの突条１０の継手３の内壁面３ａからの突出高さ寸法は、集水部２ｂの下端側に位置する始端１０ａから竪樋４側に位置する終端１０ｂに向かって漸次大となるように形成されている。
【００１８】
また、突条１０は、継手３の周方向に９０度間隔で４条設けられている。
継手３を備えた集水器２は、例えばポリカーボネート、ポリ塩化ビニル、ポリオレフィンなどの熱可塑性合成樹脂を用いて、射出成形等の成形方法によって形成されている。
なお、突条１０の突出高さは、継手３の内側径の１／５０以上１／５以下であることが好ましく、突条１０が沿う螺旋のリード角、すなわち、継手３を鉛直方向に切断して展開した際の軸線Ｌに直交する平面と螺旋（つる巻線）とのなす角度は、３０度〜６０度であることが好ましい。
竪樋４は、複数の竪樋４ａ，４ａを鉛直方向に連結させて形成されている。
【００１９】
次に、上記雨樋の排水構造Ａを使用した際の作用について説明する。
図１に示すように、降雨時に、雨水が屋根を伝って軒先から軒樋１内に流れ落ちると、軒樋１の勾配により雨水が集水器２の方向に流れる。通常の雨量の場合、雨水は集水器２の内壁面を伝い、更に継手３の内壁面３ａ伝い又は突条１０に沿って流下し、竪樋４内に流れ排水口（不図示）に向かって流れ込む。
【００２０】
上記は通常の雨量の場合であるが、雨量が大幅に増加し軒樋１内に流れ込む豪雨時には、軒樋１内に大量の雨水が流れ、その雨水が集水器２の集水部２ｂ内に流れ込む。しかし、かかる場合であっても、雨樋の排水構造Ａは、図２に示すように、内壁面３ａに突条１０が形成された継手３を集水器２の下部に設けていることにより、雨水は、該突条１０に当たって回転力が付与されて矢印Ｙ方向に流れ、螺旋軌跡に略従って旋回しながら竪樋４内を流下する。
【００２１】
この際、突条１０の突出高さ寸法は、始端１０ａから終端１０ｂに向かって漸次大きくなっているため、集水器２から継手３に雨水が流入する際に、突条１０が雨水の流入の妨げになり難く、下方に向かって徐々に回転力を加えていく。また、継手３の内側径の１／５０以上の高さ寸法で形成されているため、雨水が旋回流となり得る水量が突条１０を鉛直方向に乗り越えることなく、突条１０に当たり、回転力を得て突条１０に略沿って流れ始める。更に、突条１０は、継手３の内側径の１／５以下の高さ寸法で形成されているため、雨水の流下をやたらと阻害して乱流及び滞留を発生させる突起となることなく、雨水を流下させる。
【００２２】
突条１０の条数は、４条以上１２条以下に設定されているため、突条の数が多すぎて流れを乱すことがなく、雨水を効果的に整流し、流下させることができる。
そして、旋回流となった雨水は、回転力によって流下が促進される。また、雨水には、集水器２の集水部２ｂ，継手３及び竪樋４内の軸線Ｌを中心とする空気芯が形成され、大量の雨水が一気に集水部２ｂ内に流入することにより発生する乱流又は滞留を回避しつつ円滑かつに竪樋４内に流入する。
【００２３】
以上のように、雨樋の排水構造Ａによれば、雨水に軸線Ｌを中心とする回転力を加えて旋回流とし該雨水の流下を促進する螺旋状の突条１０を継手３の内壁面３ａに備えているため、豪雨時に集水器２内に流れ込む雨水を整流して旋回させ、継手３に接続された竪樋４内に円滑かつ直接に流入させることができるという効果を奏する。
【００２４】
また、突条１０によって雨水を整流する構成としているため、継手３の内部に塵埃類が引掛かって堆積することにより継手３内部が汚損したり、塵埃類が詰まったりすることを防止することができるという効果を奏する。
【００２５】
また、継手３の内壁面３ａにのみ上記形状の突条１０を設けたシンプルな構成によって雨水の整流を実現しており、該継手３を有する集水器２は、射出成形等により簡便に成形することができるものであるため、雨樋の排水構造Ａを低コストで製造することができ、また雨樋の排水構造Ａを従来どおりの施工によって住宅等の建物に簡単に設置することができるという効果を奏する。
【００２６】
なお、上記の実施形態において、突条１０は、継手３の内壁面３ａに９０度間隔で４条形成された構成となっているが、３０度以上９０度未満の間隔で４条以上１２条以下の条数で形成されたものであってもよい。
また、継手３は集水器２と一体成形された構成としているが、集水器２の集水部２ｂ下端に着脱自在な構成とされたものであってもよい。
【符号の説明】
【００２７】
１    軒樋
２    集水器
３    継手
３ａ  内壁面
４    竪樋
１０  突条
Ａ    雨樋の排水構造
Ｒ    流路（間隔）
【図１】
2013036235.tif 000003
【図２】
2013036235.tif 000004
【図３】
2013036235.tif 000005
【図４】
2013036235.tif 000006